(57)【要約】【課題】アンテナを良好な感度に保持できるとともに、キーボード操作が容易で、しかも筐体内の限られたスペースを最大限有効に活用して表示画面やキーボタンなどが設置できるようにする。【解決手段】ヒンジ部３は、第１筐体１の一方の側部を切り欠いて形成した被嵌合部である第１ヒンジ部１ｆと、第２筐体２の内面２Ａの一方の側部から第１筐体１の内面２Ａに向けて突出し被嵌合部に嵌合する嵌合部であり、第１ヒンジ部１ｆに回動可能に係合する第２ヒンジ部３２ａ，３ｂとを備え、第１筐体１の内面から第１ヒンジ部１ｆ及び第２ヒンジ部３２ａ，３ｂが膨出しないよう構成した。これにより、第１筐体１を作業面上に載置して第２筐体２を開放させたときに、第１ヒンジ部１ｆがある第１筐体１の側部が持ち上がるように構成した。【選択図】  図４
2006221210.tif 000002
【特許請求の範囲】
【請求項１】
ヒンジ部を介して第１筐体と第２筐体とを開閉可能に取り付け、これらの筐体の閉鎖時と開放時とで、複数の機能を使い分けて使用する携帯情報端末機器であって、
前記ヒンジ部は、
前記第１筐体の一方側の側縁部に切り欠いて設けた第１ヒンジ部と、
前記第１筐体に対向する第２筐体の内面の一方側の側縁部において第１筐体の内面側に向けて突出して設けた第２ヒンジ部とを備え、
前記第１ヒンジ部の切り欠き部分に前記第１筐体の内面と面一状態で前記第２ヒンジ部を回動可能に嵌着させたことを特徴とする携帯情報端末装置。
【請求項２】
前記ヒンジ部内に出し入れ可能にアンテナを収納するとともに、
前記アンテナを前記第１筐体の外面から遠ざかる方向に傾けて配置し、
前記アンテナを収納した状態で前記双方の筐体を開放したときに、この筐体を載置する作業面に、そのアンテナの先端部が接触しない長さに突出させたことを特徴とする請求項１に記載の携帯情報端末装置。
【請求項３】
前記第２筐体の内面に情報を表示する表示画面を設けるとともに、前記第１筐体の内面にキーボードを設けたことを特徴とする請求項１に記載の携帯情報端末装置。
【請求項４】
前記ヒンジ部は、所定の開放角度まで回動したところで前記第２筐体の回動動作がロック状態になるロック手段を備えたことを特徴とする請求項１に記載の携帯情報端末装置。
【請求項５】
前記第２筐体の回動動作は、前記第１筐体に対して略９０度から略１８０度までの範囲内のいずれかの開放角度でロック状態になることを特徴とする請求項４に記載の携帯情報端末装置。
【請求項６】
前記ヒンジ部は、前記第２筐体が所定角度まで閉じたところで第１筐体の方向に向けて閉鎖する自閉手段を備えたことを特徴とする請求項１に記載の携帯情報端末装置。
【請求項７】
前記ヒンジ部は、前記ロック手段及び自閉手段を内蔵した連結ピンを備えたことを特徴とする請求項４又は６に記載の携帯情報端末装置。
【請求項８】
前記第１筐体のヒンジ部側とは反対側の側面と、一方の端面との間にストラップ用の挿通孔を設けたことを特徴とする請求項１、３、６のいずれか１項に記載の携帯情報端末装置。
【請求項９】
前記第２筐体の外面に、この第２筐体を開放したときに前記作業面に当接する弾性部材を設けたことを特徴とする請求項１、３、４、５、６のいずれか１項に記載の携帯情報端末装置。
【発明の詳細な説明】
【０００１】
【発明の属する技術分野】
この発明は、情報端末機器に係り、特にこの情報端末機能として、例えば電子手帳のような電子式の情報処理管理装置などとしての機能を有する携帯情報端末装置に関するものである。
【０００２】
【従来の技術】
携帯電話機は、どこでも移動して使用できるという利便性、携帯性を有しており、この携帯性を配慮して、サイズの小さいことが重要であるため、小型化、薄型化が図られている。一方、この携帯電話機とは異なるが、同様に、どこでも移動して使用できる携帯性を備えた情報処理管理装置、いわゆる電子手帳などが各種開発され使用されている。
【０００３】
さらに、このような携帯電話機や電子手帳としての機能をそれぞれ単体で有するのではなく、携帯電話機と電子手帳との双方の機能を兼ね備えたものが提案され開発されており、電子手帳で処理した情報を他の場所へ無線で送信することなどが可能となっている。このような電子手帳機能を備えた携帯電話機として、例えば、普段閉じているときには携帯電話機として使用し、開くと電子手帳として使用できる開閉式のものが知られている。
【０００４】
【発明が解決しようとする課題】
しかしながら、このような開閉式の電子手帳機能を備えた携帯電話機にあっては、以下のような不都合を生じている。即ち、
（１）使用者の頭の近くにアンテナが位置するので、アンテナとしての特性が低下するといった不都合を生じていること、
（２）携帯電話機としての操作機能を設けた上側筐体部分を開いて電子手帳として使用する際には、通常、この電子手帳機能を有する下側筐体部分はテーブルなどの上面に平行な状態であり、操作者はこのキーボード面を覗き込むような状態で操作することが必要であるので、操作性にいまひとつ満足できないこと、
（３）また、上側筐体部分を開き下側筐体部分を電子手帳として使用する際に、その下側筐体部分のキー押圧操作などを行うと、その押圧力で上側筐体部分が回動し、ぐらつきやすいこと、
（４）上側筐体部分を開き下側筐体部分を電子手帳として使用する際に、その押圧力の力の入れ具合によっては、開いていた上側筐体部分が自然に閉じてしまうこと。
【０００５】
また、さらに、
（５）下側筐体部分のストラップ取付け位置によっては、ストラップが邪魔になってしまい、下側筐体部分が揺動し易いこと、
（６）上側筐体部分と下側筐体部分とがヒンジで連結されているが、このヒンジ部分が双方の筐体部分で盛り上がっていることが多く、このような形状の場合には、そのヒンジ部分に相当する表面部分にキーボタンなどを設置できずにデッドスペースになり易いこと、
（７）ヒンジ部分が盛り上がっている構成の場合には、表示用の画面を設置する場合に、その部分が犠牲になって画面を筐体の内面いっぱいに設置できないこと、
（８）上側筐体部分を開き下側筐体部分を電子手帳として使用する際に、載置する作業台上面でその上側筐体部分に傷を付け易いこと、などの不都合を生じている。
【０００６】
そこで、この発明は、上記した事情に鑑み、特に、アンテナを良好な感度状態に保持できるとともに、キーボードでの操作が容易で、しかも筐体内の限られたスペースを最大限有効に活用して表示画面やキースイッチなどが設置できる携帯情報端末機器を提供することを目的とするものである。
【０００７】
【課題を解決するための手段】
この発明は、第１に、ヒンジ部を介して第１筐体と第２筐体とを開閉可能に取り付け、これらの筐体の閉鎖時と開放時とで、複数の機能を使い分けて使用する携帯情報端末機器であって、
前記ヒンジ部は、
前記第１筐体の一側縁部に切り欠いて設けた第１ヒンジ部と、
前記第１筐体に対向する第２筐体の内面の一側縁部において第１筐体の内面側に向けて突出して設けた第２ヒンジ部とを備え、
前記第１ヒンジ部の切り欠き部分に前記第１筐体の内面と面一状態で前記第２ヒンジ部を回動可能に嵌着させたことを特徴としている。
【０００８】
これにより、第２筐体を開くと、第２筐体のヒンジ部側の側縁部が第１筐体の外面より外側に回り込んで突出し、第１筐体が使用者の方に傾くので、キーボードの操作性が良好になる。また、第１、第２筐体の内面にヒンジ部が突出しないので、そのヒンジ部の設置スペースを第１、第２筐体の内面に確保する必要がなく、しかも筐体内面の限られたスペースを最大限有効に活用して表示画面やキーボタンなどが設置できる。
【０００９】
また、第２に、前記ヒンジ部内に出し入れ可能にアンテナを収納するとともに、前記アンテナを前記第１筐体の外面から遠ざかる方向に傾けて配置し、前記アンテナを収納した状態で前記双方の筐体を開放したときに、この筐体を載置する作業面に、そのアンテナの先端部が接触しない長さに突出させることが好ましい。
【００１０】
これにより、例えばこの携帯情報端末機器を金属製の作業台などに載置しても、そのアンテナを作業台などに接触するのを防止できるので、アンテナを良好な感度状態に保持できる。
【００１１】
また、第３に、前記第２筐体の内面に情報を表示する表示画面を設けるとともに、前記第１筐体の内面に情報処理管理機能の操作用キーボードを設けることができる。
【００１２】
また、第４に、前記ヒンジ部には、所定の開放角度で前記第２筐体の回動動作がロック状態になるロック手段を備えることができる。
【００１３】
これにより、所定の開放角度まで第２筐体を回動すると、第２筐体がロック状態になるので、第２筐体がふらついたり、不用意に閉じたりすることがない。
【００１４】
また、第５に、前記第２筐体の回動動作は、前記第１筐体に対して略９０度から略１８０度までの範囲内のいずれかの開放角度でロック状態になるように構成してもよい。
【００１５】
また、第６に、前記ヒンジ部は、前記第２筐体が所定角度まで閉じたところで第１筐体の方向に向けて閉鎖する自閉手段を備えることが好ましい。
【００１６】
これにより、第２筐体を第１筐体と重合させて閉じているときに、不用意に第２筐体が開いて内面に設けたスイッチなどを操作するといったトラブルを防止できる。
【００１７】
また、第７に、前記ヒンジ部は、前記ロック手段及び自閉手段を内蔵した連結ピンを備えることが好ましい。
【００１８】
これにより、ロック手段及び自閉手段を収納する専用のスペースを設ける必要がなく、小型化に好都合である。
【００１９】
また、第８に、前記第１筐体のヒンジ部側とは反対側の側面と、一方の端面との間にストラップ用の挿通孔を設けることが好ましい。
【００２０】
これにより、第２筐体を開いて情報処理管理装置として使用する場合に、第１筐体が持ち上がるので、ストラップを取り付けても、第１筐体とこの第１筐体を載置する作業台との間にそのストラップ部分が挟まれて、第１筐体がぐらつくといったことが防止できる。
【００２１】
また、第９に、前記第２筐体の外面に、この第２筐体を開放したときに作業面に当接する弾性部材を設けることが好ましい。
【００２２】
これにより、第２筐体が開いたときに、第１筐体を載置する作業台に弾性部材が接触して第２筐体の外面が損傷するのを防止してくれるので、第１筐体に設けたキースイッチ操作などをある程度力を入れて行うことができるようになり、操作力不足による操作不良を防止できる。
【００２３】
【発明の実施の形態】
以下、この発明の実施の形態について、添付図面を参照しながら詳細に説明する。
図１は、この発明に係る携帯情報端末装置を開いたときの状態を示すものである。この携帯情報端末装置は、大略構成として、第１筐体である下側筐体１と、第２筐体である上側筐体２と、下側筐体１と上側筐体２とを連結するヒンジ部３と、アンテナ４とを備えており、開いた時には情報処理管理装置、例えば電子手帳として、また閉じたときには携帯電話機として、これらの機能を切替えて使用できるように構成されている。
【００２４】
この実施形態の下側筐体１は、縦側が短辺、横側が長辺となる横向きで電子手帳として使用するものであって、内面１Ａ部分には一段窪ませた凹部１ａを設けており、この凹部１ａには、下側筐体１に内蔵する電子手帳機能を操作するためのキースイッチ１１ａを取り付けたキーボード１１を設けている。また、この下側筐体１には、内面１Ａ部分の凹部１ａと境界を接する段部１ｂを挟んで凸部１ｃを設けており、この凸部１ｃには、送話ユニット１２を設けている。
【００２５】
さらに、このこの下側筐体１には、一端面部分に、ストラップ７（図３参照）装着用の挿通口１２を開口させており、この挿通口１２と外面（載置面）１Ｂに開口したもう一方の挿通口（図略）との間には、連通路を形成してストラップ７を挿通させるように構成している。
なお、この下側筐体１の側面部分には、さらに、図示外のイヤフォン、マイクセット端子などを収める端子カバー１３を設けているとともに、挿通口１２を設けた同じ端面部分に、外部接続端子を収める端子カバー１４を設けている。
【００２６】
上側筐体２は、縦側が長辺、横側が短辺となる縦向きで携帯電話機として使用するものであって、内面２Ａには情報を表示する液晶表示画面２１を設けるとともに、外面２Ｂに弾性部材２２（図２（Ａ）参照）を設けている。この弾性部材２２は、安定した状態に設置された適宜の作業台、例えばテーブル５の上面５Ａに上側筐体２を開放したときに、この弾性部材２２が、その上面５Ａに当接するようになっている（図３（Ｂ）参照）。さらに、この上側筐体２には、図２（Ａ）に示すように、外面２Ｂ側に、携帯電話機として使用するときの操作のために、例えば液晶表示画面２３、受話口２４などとともにマルチコントローラ２６やダイアルスイッチ２７などを設けている。
【００２７】
ヒンジ部３は、図４に示すように、下側筐体１に対して上側筐体２を開閉可能に取付けるものであって、このヒンジ部３の内部には、出し入れ可能にアンテナ４を収納している。特に、このヒンジ部３では、下側筐体１の内面１Ａよりも外側へヒンジ部３自身が膨出せぬようにフラットな形状に形成されており、下側筐体１の一側縁部（長辺側の一方の縁部、以下、側部とよぶ）を切り欠いて形成した被嵌合部である第１ヒンジ部３Ａと、上側筐体２の一側縁部（長辺側の一方の縁部、以下側部とよぶ）において内面２Ａから突出する嵌合部であって、第１ヒンジ部３Ａに回動可能に係合する第２ヒンジ部３Ｂとを備えている。
【００２８】
このうち、第１ヒンジ部３Ａは、図４において、下側筐体１の側部のうち、右角隅部と、左角隅部から凸部１ｃを避けた凹部１ａの左角隅部との２箇所に形成された第１軸受部で構成されている。即ち、この第１軸受部は、具体的には、右角隅部と凹部１ａの左角隅部とにそれぞれ切り欠いて設けた切欠部１ｄ，１ｅにおいて、互いに対向する壁面に挿入口１ｆ，１ｇ（１ｇについては、図５参照）を開口し、この挿入口１ｆ，１ｇにそれぞれリング状の軸受部材３１ａ、３１ｂを装着した構成となっている。
【００２９】
一方、第２ヒンジ部３Ｂは第２軸受部で構成されており、具体的には、上側筐体２の内面２Ａの側部において、第１軸受部の切欠部１ｄ，１ｅと対向する部位に一対突出して設けた凸状の軸受部材３２ａ，３２ｂで構成されている。そして、この上側筐体２の内面２Ａから凸状に突出する軸受部材３２ａ，３２ｂは、下側筐体１の切欠部１ｄ，１ｅに対して回動可能に、かつ、この切欠部１ｄ，１ｅを補完するようにほとんど隙間なく挿入されている。なお、この凸状の軸受部材３２ｂの内部には、図４に示すように、液晶表示画面２１の駆動を制御するために下側筐体１内部の図示外の基板に実装した駆動回路と接続させるために、フレキシブル基板２１ａを挿通させている。
【００３０】
ヒンジ部３をこのような構成とすることにより、この上側筐体２をテーブル５の上面５Ａ上に載置し、通常の使用状態まで大きく開放させると、この上側筐体２が大きく回動してヒンジ部３より下方位置へ回り込み、下側筐体１のヒンジ部２側の側部が持ち上がる（起き上がる）ようになる。
【００３１】
また、凸状の軸受部材３２ｂの内部には、凸部１ｃの内部を貫通して設けた貫通孔１５との間に、連結ピン３３が装着されている。この装着ピン３３は、１４０度から１８０度までの範囲内において、所定角度（この実施形態では１４５度）でロック状態となる適宜のロック手段（図略）を内蔵するとともに、上側筐体２が所定角度まで閉じたところで下側筐体１に向けて自動的に回動して閉鎖する適宜の自閉手段（図略）を内蔵している。
【００３２】
アンテナ４は、図３に示すように、ヒンジ部３内に出し入れ可能に収納されており、下側筐体１をテーブル５の上面５Ａ上に載置し、上側筐体２を開放して電子手帳として使用する際に、このアンテナ４の引き出し方向が、テーブル５の上面５Ａへ向けて接近する方向に角度αだけ傾斜するよう構成されているが、テーブル５の上面５Ａとの接触を避けた長さに突出させてある。
【００３３】
そのため、このアンテナ４は、図４及び図５に示すように、下側筐体１には挿入口１ｆ，１ｇ間を連通して収納孔１６が設けられているとともに、凸状の軸受部材３２ａに隣接した支持部材１７が所定方向に指向して下側筐体１の一側縁部に嵌着されている。一方、アンテナ４は、収納孔１６内に収納されたガイド部材４１と、このガイド部材４１及び支持部材１７内にスライド可能に挿通された軸体４２と、この軸体４２の先端部に設けたヘッド部４３と、軸体４２の基端部に固設した接触子４４とを備えている。
【００３４】
ガイド部材４１は、図５に示すように、アンテナ４をスムースに引き出すためのものであるが、特にアンテナ４の引き出し方向が、下側筐体１の外面１Ｂから遠ざかる方向に（テーブル５に載置の際には、上面５Ａへ向けて接近する方向に）角度αだけ傾斜するように、先端部側が同一角度αだけ傾斜した状態に形成されている。また、このガイド部材４１は、導電性の金属材料で形成されており、外周面からアンテナ用の回路基板６に接触しているとともに、内周面には接触子４４が常時接触し、このガイド部材４１を介して回路基板６と接触子４４とが電気的に導通するように構成されている。また、このガイド部材４１は、アンテナ４を雨水などから保護するための防水機能も有している。
【００３５】
また、このガイド部材４１の先端部には、内部に雌ねじが切られた止め金具４５が取り付けられているとともに、この止め金具４５には軸体４２のガイド用の挿通部材４６が螺合して取り付けられている。この挿通部材４６には、ヘッド部４３から延びる延設部材４３ａ（図４参照）をスライド可能状態に内挿させている。一方、ヘッド部４３は、普段、支持部材１７の支持孔１７ａ（図５参照）内部に収納・固定させるようになっている。
【００３６】
次に、この実施形態の携帯情報端末装置の作用について説明する。
［携帯電話機として使用する場合］
図２（Ａ）及び図３に示すように、上側筐体２を閉じると、上側筐体２の外面２Ｂを携帯電話機として使用することができる。即ち、この閉合させた上側筐体２及び下側筐体１を手で持ち、この携帯電話機の使用者の耳と口とを、外面２Ｂ側にある受話口２４と送話口２５とにそれぞれ当て、無線により相手側と通話をすることができる。
【００３７】
この場合、図５に示すように、耳に当てる外面２Ｂ部分、別言すれば、使用者の頭などに対して、角度αだけ離れる方向にアンテナ４を伸長させるように構成している。従って、使用者の頭などの生体部分がアンテナ４の近くにあることなどの影響で、アンテナ４としての特性が低下するといったトラブルを抑制できるとともに、使用者の体に対する電磁波の悪影響なども極力回避できる。
【００３８】
［電子手帳として使用する場合］
一方、図１及び図２（Ｂ）に示すように、水平に設けた作業台、例えばテーブル５などに載置して電子手帳として使用する場合には、初め、下側筐体１をそのテーブル５上に載置し、例えば、下側筐体１を片方の手で押さえながら、反対の手で上側筐体２をつかみ、閉じていた上側筐体２を開いていく方向に回動する。
【００３９】
この場合、開き始めから所定の角度までは、連結ピン３３に設けた自閉手段の自閉力が作用していることにより、初めはその自閉力に抗してある程度大きな操作力で開放させることが必要であるが、その後、例えば図２（Ｂ）に示すような開き角度になると、自閉力が作用しなくなりフリーの状態となるので、軽い操作力で開いていくことができる。このようにして、ある程度の角度まで上側筐体２を開いたところで、例えばこの実施形態では１４５度の開放角度に達したところで上側筐体２の回動動作が停止し、ロック状態になる。
【００４０】
また、この上側筐体２の回動動作の途中で、例えば９０度開放された後にさらに開いていくと、図３（Ｂ）に示すように、この上側筐体２の第２ヒンジ部３が下側筐体１の第１ヒンジ部の下方へ回り込んでいく。このようにして、上側筐体２と下側筐体１との上下位置関係がこのヒンジ部３のある方の側部で逆転するので、第１ヒンジ部３のある第１筐体１の側部が持ち上がっていく。つまり、下側筐体１の内面１Ａは、使用者のいる手前側に向けて斜めに（この実施形態では６〜７度程度）傾斜することになるわけである。
【００４１】
即ち、これは、図３（Ｂ）に示すように、この上側筐体２の外面２Ｂの端部にある弾性部材２２がテーブル５に接触しており、この弾性部材２２を中心にして、上側筐体２の開口側の側部の方を時計方向に押し出して回動すると、この弾性部材２２が支点となり、下側筐体１のヒンジ部３のある方の側部が押し上げられる。
【００４２】
その後、さらに上側筐体２の開放動作を続けることにより、先述した角度のところで、ロック状態になる。これにより、上側筐体２及び下側筐体１が固定され、上下方向へのふらつきなどを防止できるようになるので、下側筐体１の内面１Ａに設けたキーボード１１のキースイッチ１１ａを安定した状態で操作できる。また、上側筐体２がロック状態にあるので、そのキースイッチ１１ａをたとえ強く押し過ぎたとしても、その反動で上側筐体２が戻って閉じるといったことが防止できる。
【００４３】
【発明の効果】
以上説明してきたように、この発明によれば、ヒンジ部は、第１筐体の一方側の側縁部に切り欠いて設けた第１ヒンジ部と、第１筐体に対向する第２筐体の内面の一方側の側縁部において第１筐体の内面側に向けて突出して設けた第２ヒンジ部とを備え、第１ヒンジ部の切り欠き部分に第１筐体の内面と面一状態で第２ヒンジ部を回動可能に嵌着させた構成であり、第１筐体を作業台上に載置して第２筐体を使用状態まで開放すると、第１筐体が起き上がった状態になるので、使用者の顔の方向に向けて傾斜した状態になり、第２筐体を開放して使用するときの操作性が向上する。
【００４４】
また、この発明によれば、ヒンジ部が第１筐体の内面部分から突出していないので、換言すれば、第１筐体の内面部分はフラットな状態に形成できるから、この内面部分のデッドスペースが形成されずにすみ、その分、限られたスペースの内面を最大限有効に活用できるようになるから、特に携帯性を優先する小型の携帯情報端末装置にあっては便宜である。
【００４５】
さらに、この発明では、アンテナをヒンジ部内に出し入れ可能に収納するとともに、このアンテナは、携帯情報端末装置を載置した作業面へ向けて接近する方向に傾斜させて設け、かつ、そのアンテナの先端部が作業面に接触しない長さでヒンジ部内に収納させており、換言すれば、アンテナが作業台に接触するのを避けた状態で収納されているので、例えば鉄などの磁性体で形成された作業面上でこの携帯情報端末装置を使用する場合であっても、アンテナを良好な感度状態に保持でき、信頼度の高いものが提供できる。
【図面の簡単な説明】
【図１】本発明に係る携帯情報端末装置を電子手帳として使用するときの状態を示す斜視図である。
【図２】（Ａ）は図１に示す携帯情報端末装置を携帯電話機として使用するときの状態示す斜視図、（Ｂ）は携帯情報端末装置の上側筐体を開いている途中の状態を示す斜視図である。
【図３】（Ａ）は図１に示す携帯情報端末装置を携帯電話機として使用するときの状態示す側面図、（Ｂ）は携帯情報端末装置を電子手帳として使用するときの状態を示す側面図である。
【図４】図１に示す携帯情報端末装置の分解斜視図である。
【図５】図１に示す携帯情報端末装置のアンテナを収容するヒンジ部の構成を示す断面図である。
【符号の説明】
１      下側筐体（第１筐体）
１Ａ    内面
１Ｂ    外面
１ｄ      切欠部
１ｅ      切欠部
１ｆ      挿入口
１ｇ      挿入口
１１      キーボード
１１ａ    キースイッチ
１７      支持部材
２        上側筐体（第２筐体）
２Ａ      内面
２Ｂ      外面
２１      液晶表示画面
２２      弾性部材
３        ヒンジ部
３Ａ      第１ヒンジ部（第１軸受部）
３１ａ    リング状軸受部材
３１ｂ    リング状軸受部材
３Ｂ      第２ヒンジ部（第２軸受部）
３２ａ    凸状の軸受部材
３２ｂ    凸状の軸受部材
３３      連結ピン（自閉手段・ロック手段）
４        アンテナ
４１      ガイド部材
４２      軸体
４３      ヘッド部
４４      接触子
５        テーブル
５Ａ      上面（作業面）
【図１】
2006221210.tif 000003
【図２】
2006221210.tif 000004
【図３】
2006221210.tif 000005
【図４】
2006221210.tif 000006
【図５】
2006221210.tif 000007